(57)【要約】【課題】波長分割多重化方式に於ける可変波長分散補償器の管理制御装置及び管理制御方法に関し、ＶＩＰＡ型波長分散補償器の寿命を判定する。【解決手段】光信号の波長分散を補償するＶＩＰＡ型の波長分散補償器１０１の管理制御装置及び管理制御方法であって、波長分散補償器１０１により光信号の波長分散補償を行って受信処理した信号の品質判定結果に応じて、波長分散補償器１０１の三次元ミラーを移動制御し、三次元ミラーの移動距離と移動速度との何れか一方又は両方を算出してメモリ１０５等に記録する手段と、三次元ミラーの移動距離の累算値又は移動速度と比較基準値とを基に三次元ミラーの移動制御構成の安定制御可能の寿命を判定する寿命管理部１４等手段とを備え、移動距離と移動速度との何れか一方又は両方について比較基準値と比較して、安定制御可能か否かを判定する。【選択図】図１
2011158853.tif 000002
【特許請求の範囲】
【請求項１】
光信号の波長分散を補償するＶＩＰＡ型の波長分散補償器の管理制御装置に於いて、
前記波長分散補償器により光信号の波長分散補償を行って受信処理した信号の品質判定結果に応じて、前記波長分散補償器の三次元ミラーを移動制御し、該三次元ミラーの移動距離と移動速度との何れか一方又は両方を算出して記録する手段と、
前記三次元ミラーの移動距離の累算値又は前記移動速度と比較基準値とを基に前記三次元ミラーの移動制御構成の安定制御可能の寿命を判定する手段と
を備えたことを特徴とする波長分散補償器の管理制御装置。
【請求項２】
前記波長分散補償器の三次元ミラーの移動制御構成の安定制御可能の寿命に近づいた時に、前記三次元ミラーの移動速度を低減する制御手段を備えたことを特徴とする前記請求項１記載の波長分補償器の管理制御装置。
【請求項３】
光信号の波長分散を補償するＶＩＰＡ型の波長分散補償器の管理制御方法に於いて、
前記波長分散補償器により光信号の波長分散補償を行って受信処理した信号の品質判定結果に応じて、前記波長分散補償器の三次元ミラーを移動制御し、該三次元ミラーの移動速度と移動距離との何れか一方又は両方を算出して記録する過程と、
前記三次元ミラーの移動速度と前記移動距離の累算値との何れか一方又は両方と比較基準値とを比較する過程と、
該過程による比較結果を基に前記三次元ミラーの移動制御構成の安定制御可能の寿命を判定する過程と
を含むことを特徴とする波長分散補償器の管理制御方法。
【請求項４】
前記波長分散補償器の三次元ミラーの移動制御構成の安定制御可能の寿命に近いか否かを判定し、該寿命に近いづいたと判定した後は、前記三次元ミラーの移動速度を低減して制御する過程を含むことを特徴とする請求項３記載の波長分散補償器の管理制御方法。
【発明の詳細な説明】
【技術分野】
【０００１】
本発明は、複数の波長の光信号を多重化して伝送する波長分割多重化（ＷＤＭ；Ｗａｖｅｌｅｎｇｔｈ  Ｄｉｖｉｓｉｏｎ  Ｍｕｌｔｉｐｌｅｘｉｎｇ）方式に於ける光信号の波長分散を補償するＶＩＰＡ（Ｖｉｒｔｕａｌ  Ｉｍａｇｅｄ  Ｐｈａｓｅｄ  Ａｒｒａｙ）型の可変分散補償器の管理制御装置及び管理制御方法に関する。
【背景技術】
【０００２】
複数のそれぞれ異なる波長の光信号を多重化して長距離伝送を行うＷＤＭ方式は、１０Ｇｂｐｓ、５０Ｇｂｐｓ、１００Ｇｂｐｓ等の高速大容量伝送を可能としている。伝送媒体としては光ファイバが使用されているが、長距離伝送に於いては、光信号の伝送損失と波長分散による受信波形の鈍りとの影響を受けて、伝送誤りが増加する問題がある。伝送損失による受信光信号のレベル低下は、光増幅手段により増幅することにより対応可能である。この点については、既に各種の光増幅手段が提案され、且つ実用化されている。又波長分散による受信波形の乱れに対しては、波長分散補償ファイバによる分散補償手段やＶＩＰＡ型の波長分散補償手段等の各種の手段が提案され、且つ実用化されている。波長分散補償ファイバによる波長分散の補償は、光ファイバ伝送路の波長分散特性を補償する為の逆特性を有するものであり、分散補償特性を変更するには、その長さを調整する必要がある。従って、異なる長さの波長分散補償ファイバを、波長対応の光ファイバに対して切替接続する構成が考えられる。又ＶＩＰＡ型の波長分散補償手段は、光ファイバ伝送路の経時変化や温度変化に対しても、波長対応に自動制御により波長分散補償を可能とする構成が知られている。
【０００３】
図５は、従来例の高速光インタフェース機能部の説明図であり、ＶＩＰＡ型波長分散補償器１０１と、Ｏ／Ｅ変換モジュール部１０２と、エラーチェック部３０を含むエラー監視機能部１０３と、制御機能部１０４との１波長分の光信号の受信処理に対する主要部のみを示す。ＶＩＰＡ型波長分散補償器１０１を制御する制御機能部１０４は、分散値設定部１１と信号品質判定部１２とを含み、且つ各部を制御する機能を備えている。ＶＩＰＡ型波長分散補償器１０１には、図示を省略した波長合分波機能部により分波した光信号を入力して、伝送過程に於ける波長分散を補償処理し、Ｏ／Ｅ変換モジュール部１０２により電気信号に変換して、図示を省略した外部端局装置へ転送する。又エラー監視機能部１０３のエラーチェック部３０により、例えば、ＦＥＣ（Ｆｏｗａｒｄ  Ｅｒｒｏｒ  Ｃｏｒｒｅｃｔｉｏｎ）機能を適用してエラー訂正を行うと共に、エラー訂正数等の信号品質情報信号を制御機能部１０４の信号品質判定部１２へ転送する。信号品質判定部１２は、信号品質情報信号による受信信号品質が所定の範囲内か否かを判定し、所定の信号品質でない場合は、信号品質判定信号を分散値設定部１１へ転送し、受信信号品質が所定範囲内となるように、分散値設定部１１からＶＩＰＡ型波長分散補償器１０１に分散値設定信号を入力して、波長分散の補償処理を行う。即ち、ＶＩＰＡ型波長分散補償器１０１を、Ｏ／Ａ変換モジュール１０２とエラー監視機能部１０３と信号判定部１２と分散値設定部１１とによるフィードバック制御ループによって、受信信号品質が所定範囲内となるように自動制御を行うものである。従って、温度変化等による光ファイバの波長分散特性が変化した場合でも、自動的に補償制御を行うことができる。
【０００４】
図６は、ＶＩＰＡ型波長分散補償器の概要説明図であり、図５に於けるＶＩＰＡ型波長分散補償器１０１の要部を示し、コリメートレンズ２０１と、シリンドリカルレンズ２０２と、ＶＩＰＡ板２０３と、フォーカスレンズ２０４と、三次元ミラー２０５と、可動ステージ２０６とを含む構成を概略斜視部として示すもので、光信号を入出力する光サーキュレータは図示を省略している。三次元ミラー２０５を載置した可動ステージ２０６は、スライド機構（図示を省略）により矢印方向に移動可能に支持されて、駆動部の例えばステッピングモータ（図示を省略）により移動制御される。又三次元ミラー２０５は、凸面と凹面との反射面が連続的に変化する曲面を備えている。光ファイバ伝送路を介して受信した光信号は、前述のように波長分散の影響により、光信号波形が鈍ったものとなる。このような波長分散光信号を、図示を省略した光サーキュレータを介してコリメートレンズ２０１に入射し、シリンドリカルレンズ２０２により直線上に集光してＶＩＰＡ板２０３の全反射面と透光面との境界に入射し、傾斜して固定したＶＩＰＡ板２０３内に於ける反射の繰り返しと一部透過とにより、時間軸上の微小差で且つ異なる微小位置差の光に分解し、この分解光成分を、フォーカスレンズ２０４を介して三次元ミラー２０５の反射面のそれぞれ異なる位置に入射し、反射光をフォーカスレンズ２０４により集光することにより、中心波長成分光は合波するが、不要な分散波長成分光は、互いに打ち消し合うようにして、中心波長成分光のみを光サーキュレータを介して出力し、図５に示すＯ／Ｅ変換モジュール部１０２に入力して電気信号に変換する。このＶＩＰＡ型波長分散補償器１０１の分散補償特性は、エラー監視機構部１０３のエラーチェック部３０による信号品質情報信号として制御機能部１０４の信号品質判定部１２と分散値設定部１１とを介した制御ループによる分散値設定信号によって制御することができる。ＶＩＰＡ型波長分散補償器１０１の三次元ミラー２０５を載置した可動ステージ２０６を矢印方向に移動させる為の駆動部としてのステッピングモータは、微小位置の高速制御及び停止位置の静止固定の機能を備えている。前述のＶＩＰＡ型波長分散補償器１０１は、既に各種の構成が提案され、且つ実用化されている（例えば、特許文献１〜３参照）。
【０００５】
図７は、分散補償値設定説明図であり、縦軸は任意目盛りのエラーレート（Ｅｒｒｏｒ  ｒａｔｅ）、横軸は分散補償値（ｐｓ／ｎｍ）を示し、信号成分入力時とＡＳＥ時とについて示し、信号成分入力時は、例えば、−２００ｐｓ／ｎｍ〜＋３５０ｐｓ／ｎｍの間に分散補償値を設定することにより、エラーレートが閾値以下となるように、前述の三次元ミラー２０５（図６参照）を取り付けた可動ステージ２０６がステッピングモータにより移動される。通常は、エラーレートが最小となる分散補償値の例えば＋１００ｐｓ／ｎｍに設定される制御が行われる。又ＡＳＥ（Ａｍｐｌｉｆｉｅｄ  Ｓｐｏｎｔａｎｅｏｕｓ  Ｅｍｉｓｓｉｏｎ）入力時は、入力光信号中に信号成分を含まないことにより、エラーレートの最小値が閾値以下にはならないと共に、エラーレートの最小値となる分散補償値が変動する。従って、三次元ミラー２０５を載置した可動ステージ２０６を移動させる駆動部のステッピングモータは、ＡＳＥ時として示す直線のように、継続して三次元ミラーの往復移動を繰り返すことになる。
【先行技術文献】
【特許文献】
【０００６】
【特許文献１】特開２００２−２５８２０７号公報
【特許文献２】特開２００５−２７５１０１号公報
【特許文献３】特開２００５−２７８０１３号公報
【発明の概要】
【発明が解決しようとする課題】
【０００７】
ＶＩＰＡ型の波長分散補償器は、光伝送システムの初期立上げ時や、光ファイバ伝送路の経路変更時及び気温変動時等に於いて、光ファイバ伝送路の波長分散特性を補償する制御を行うもので、前述の図４を参照して説明したように、三次元ミラー２０６を固定した可動ステージ２０４を、エラーレートが最小となるように、フィードバック制御により駆動部のステッピングモータによって移動制御する。その場合、図７に示すように、ＡＳＥ入力時には、ＶＩＰＡ型波長分散補償器１０１には、信号成分を含まない光信号が入力されることから、エラーレートが最小となる移動方向は確定されないので、フィードバックループにより移動制御される三次元ミラー２０６は、駆動部のステッピングモータにより連続的に往復動されることになる。一般に、静止状態で各種の処理動作を行う制御処理機能部等の装置部品に対して、機械的に動く装置部品は、初期状態の特性を維持して使用可能とする期間、即ち、装置寿命は比較的短いものである。一般には、装置部品の寿命を予め想定して、使用開始から予想寿命期間経過により、装置部品の交換や、装置全体の交換を行っている。
【０００８】
前述のＶＩＰＡ型の波長分散補償器に於いても同様に装置寿命を推測することも可能であるが、三次元ミラーを往復動させる可動ステージとその駆動部、例えば、前述のステッピングモータを含む構成であるから、使用環境に応じて使用可能期間、即ち、寿命は大きく異なるものとなる。従って、一律に可動ステージとその駆動部のステッピングモータとの寿命を推測設定した場合、短期間設定とすると、ＶＩＰＡ型波長分散補償器が正常に動作可能であっても交換することになり、経済的には不利である。又反対に長期間設定とすると、経済的ではあるが、障害発生まで交換しない場合も生じる。その場合、突然の障害発生によって、システム運用に支障を来たす場合がある。前述の図６に示す構成のＶＩＰＡ型波長分散補償器は、４０ＧＨｚ用として、例えば、１０５×６０×２０ｍｍのケースに収容した構成が知られている。従って、三次元ミラー２０５の最大移動距離は、このケースの寸法の数分の一程度となる。しかし、ＶＩＰＡ型の波長分散補償器については、その装置寿命判定については提案されておらず、且つ前述の特許文献１〜３にも開示されていない。
【０００９】
本発明は、前述の従来例の問題点を解決することを目的とし、ＶＩＰＡ型の波長分散補償器の三次元ミラーの移動による分散補償制御過程の動作履歴を累積し、その累積結果を基に寿命を判定し、交換等の保守を可能として高信頼性を維持するものである。
【課題を解決するための手段】
【００１０】
本発明の可変分散補償器の管理制御装置は、光信号の波長分散を補償するＶＩＰＡ型の波長分散補償器の管理制御装置に於いて、波長分散補償器により光信号の波長分散補償を行って受信処理した信号の品質判定結果に応じて、波長分散補償器の三次元ミラーを移動制御し、三次元ミラーの移動距離と移動速度との何れか一方又は両方を算出して記録する手段と、三次元ミラーの移動距離の累算値又は移動速度と比較基準値とを基に三次元ミラーの移動制御構成の安定制御可能の寿命を判定する手段とを備えている。
【００１１】
前記波長分散補償器の三次元ミラーの移動制御構成の安定制御可能の寿命に近づいた時に、三次元ミラーの移動速度を低減する制御手段を備えている。
【００１２】
本発明の可変分散補償器の管理制御方法は、光信号の波長分散を補償するＶＩＰＡ型の波長分散補償器の管理制御方法に於いて、波長分散補償器により光信号の波長分散補償を行って受信処理した信号の品質判定結果に応じて、波長分散補償器の三次元ミラーを移動制御し、三次元ミラーの移動速度と移動距離との何れか一方又は両方を算出して記録する過程と、三次元ミラーの移動速度と移動距離の累算値との何れか一方又は両方と比較基準値とを比較する過程と、該過程による比較結果を基に三次元ミラーの移動制御構成の安定制御可能の寿命を判定する過程とを含むものである。
【００１３】
前記波長分散補償器の三次元ミラーの移動制御構成の安定制御可能の寿命に近いか否かを判定し、寿命に近づいたと判定した後は、三次元ミラーの移動速度を低減して制御する過程を含むものである。
【発明の効果】
【００１４】
ＶＩＰＡ型の波長分散補償器は、三次元ミラーを移動制御する構成を含むものであり、可動部分を有することから、静止部分のみの構成に比較して、安定使用可能期間が短いものである。そこで、三次元ミラーの移動制御を行う為の制御信号等を基に、三次元ミラーの移動距離の累算値や移動速度の算出値を基に、安定使用可能期間を示す寿命を判定し、寿命に達した場合は、波長分散補償器の交換により、引き続き、波長分散補償制御を安定に行わせることが可能となり、又寿命に近づいた場合は、移動速度を制限する制御により、安定使用可能の寿命の延命を図ることも可能となる。
【図面の簡単な説明】
【００１５】
【図１】本発明の実施例１の説明図である。
【図２】本発明の実施例２の説明図である。
【図３】本発明の実施例３の説明図である。
【図４】光波長分割多重伝送システムの説明図である。
【図５】従来例の高速光インタフェース機能部の説明図である。
【図６】ＶＩＰＡ型波長分散補償器の概要説明図である。
【図７】分散補償値設定説明図である。
【発明を実施するための形態】
【００１６】
本発明の可変分散補償器の管理制御装置は、図１を参照すると、光信号の波長分散を補償するＶＩＰＡ型の波長分散補償器１０１の管理制御装置に於いて、波長分散補償器１０１により光信号の波長分散補償を行って受信処理した信号のエラー監視機能部１０３や信号品質判定部１２を含む手段による品質判定結果に応じて、波長分散補償器１０１の三次元ミラーを移動制御し、三次元ミラーの移動距離と移動速度との何れか一方又は両方を算出して記録する手段と、三次元ミラーの移動距離の累算値又は移動速度と比較基準値とを基に三次元ミラーの移動制御構成の安定制御可能の寿命を判定する寿命管理部１４等の手段とを備えている。
【００１７】
本発明の可変分散補償器の管理制御方法は、光信号の波長分散を補償するＶＩＰＡ型の波長分散補償器１０１の管理制御方法に於いて、波長分散補償器１０１により光信号の波長分散補償を行って受信処理した信号の品質判定結果に応じて、波長分散補償器１０１の三次元ミラーを移動制御し、三次元ミラーの移動速度と移動距離との何れか一方又は両方を算出して記録する過程と、三次元ミラーの移動速度と移動距離の累算値との何れか一方又は両方と比較基準値とを比較する過程と、該過程による比較結果を基に三次元ミラーの移動制御構成の安定制御可能の寿命を判定する過程とを含むものである。
【実施例１】
【００１８】
図１は、本発明の実施例１の説明図であり、光ファイバ伝送路に接続した高速光インタフェース機能部の要部を示し、１０１はＶＩＰＡ型波長分散補償器、１０２はＯ／Ｅ変換モジュール、１０３はエラーチェック部を含むエラー監視機能部、１０４は制御機能部、１０５はメモリ、１０はステッピングモータ（Ｍ）、１１は分散値設定部、１２は信号品質判定部、１３は移動距離計測部、１４はＶＩＰＡ型波長分散補償器の寿命管理部、３０はエラーチェック部を示し、図５に示す従来例と同様に、光波長多重分離部により分離した１波長対応の受信光信号をＶＩＰＡ型波長分散補償器１０１に入力する。このＶＩＰＡ型波長分散補償器１０１は、図６に示す概要構成を有し、三次元ミラー２０５をスライド移動させる為の駆動部としてのステッピングモータ１０を含むものであり、又受信入力光信号は、光サーキュレータを介して入力し、波長分散補償処理した光信号をその光サーキュレータを介してＯ／Ｅ変換モジュール１０２に入力する。又メモリ１０５は、三次元ミラー２０５（図６参照）の移動距離とその積算値及び移動速度等の情報を記録する手段に相当する。又ＶＩＰＡ型波長分散補償器１０１とＯ／Ｅ変換モジュール１０２とエラー監視機能部１０３と信号品質判定部１２と分散値設定部１１とについては、前述の図５に示す従来例の構成及び作用と同様であり、重複する説明は省略する。この実施例１に於いては、寿命管理部１４を含む手段により、三次元ミラー２０５の移動制御を安定に制御可能の寿命を判定するものであり、この場合の手段は、移動距離計測部１３と寿命管理部１４とを含む構成に相当する。又メモリ１０５と寿命管理部１４とにより、三次元ミラー２０５の移動距離を記録する手段を構成している。
【００１９】
移動距離計測部１３には、分散設定部１１からの分散値設定信号が入力されて、ＶＩＰＡ型波長分散補償器１０１に於ける分散補償量に従って三次元ミラー２０５の移動位置が決まるので、分散値設定部１１からの分散値設定信号により、分散補償設定後の三次元ミラー２０５の位置を求めることができる。移動距離計測部１３では、分散値設定前の三次元ミラー２０５の位置と分散値設定後の位置とを比較することにより、三次元ミラー２０５の移動距離、即ち、ステッピングモータ１０により移動させた三次元ミラー２０５の移動距離を求めることができる。ＶＩＰＡ型波長分散補償器１０１の寿命管理部１４では、三次元ミラー２０５の移動距離の収集と積算を行い、積算した三次元ミラー２０５の移動距離情報をメモリ１０５に保持する機能と、予め定められている移動距離の限界値に相当する比較基準値と比較することによって、ＶＩＰＡ型波長分散補償器１０１の寿命情報を、図示を省略した装置監視制御機能部へ転送する。
【００２０】
メモリ１０５には光伝送システム内の高速光インタフェース機能部が稼動してからの三次元ミラーの総移動距離を保持する。ＶＩＰＡ型波長分散補償器１０１の寿命管理部１４では、移動距離計測部１３より三次元ミラー２０５の移動距離情報が入力されると、メモリ１０５により積算保持している総移動距離を読出し、入力された三次元ミラー２０５の移動距離を積算した後、移動距離情報をメモリ１０５に記録する。積算された移動距離情報は予め定められているステッピングモータ１０による三次元ミラー２０５の移動距離の比較基準値、例えば、安定制御範囲の限界値と比較することにより、ＶＩＰＡ型波長分散補償器１０１の寿命情報として出力可能である。寿命と判定する総移動距離は、例えば、数１００ｍ〜数ｋｍとすることができる。又安定制御可能と判定する閾値を複数段階で設定し、寿命限界に近づいた時、寿命限界に達した時、寿命限界を超えた時等の複数段階の判定比較基準値を設定することも可能である。
【実施例２】
【００２１】
図２は、本発明の実施例２の説明図であり、図１と同一符号は同一名称部分を示す。この実施例２は、実施例１に於ける移動距離計測部１３に代えて、速度計測部１５を設けた構成を示す。ＶＩＰＡ型波長分散補償器１０１に対する分散値設定は、前述の実施例１について説明した場合と同様である。即ち、制御機能部１０４の信号品質判定部１２に於いて、エラー監視機能部１０３のエラーチェック部３０からの信号品質情報信号を基に信号品質を判定し、分散値設定部１１に信号品質判定信号を加える。分散値設定部１１は、分散値設定信号を作成してＶＩＰＡ型波長分散補償器１０１に加える。ＶＩＰＡ型波長分散補償器１０１は、分散値設定信号に従った分散値補償特性となるように三次元ミラー２０５（図６参照）をステッピングモータ１０により移動させる。
【００２２】
ステッピングモータ１０による三次元ミラー２０５の移動完了トリガを速度計測部１５に加える。従って、速度計測部１５は、ＶＩＰＡ型波長分散補償器１０１に対して分散値設定信号を入力してから三次元ミラー移動完了トリガ入力までの時間計測により、ステッピングモータ１０による三次元ミラー２０５の移動速度を求めることができる。即ち、現時点の分散値補償特性の三次元ミラー２０５の位置から分散値設定信号による移動位置迄の移動距離を基に、ステッピングモータ１０による三次元ミラー２０５の移動速度を求めることができる。寿命管理部１４は、速度計測部１５からの移動距離と移動速度との情報を、メモリ１０５に記憶させる。移動距離については、前述の実施例１と同様に積算値を格納することにより、寿命管理部１４に於いて、ＶＩＰＡ型波長分散補償器１０１の寿命に達したか否かを判定し、図示を省略した装置監視制御機能部に対して寿命情報を転送する。速度情報は、過去の同一移動距離について比較することにより、又は比較基準値と速度情報とを比較することにより、ステッピングモータ１０を含む三次元ミラー２０５を固定した可動ステージ２０６の機械的な動作機構の劣化の有無を判定することができる。即ち、ＶＩＰＡ型波長分散補償器１０１の寿命を、累積移動距離と移動速度の変化との何れか一方又は両方から判定することができる。又寿命管理部１４は、前述の実施例１と同様に、メモリ１０５に格納された累積移動距離と比較基準値との比較処理を含めて、ＶＩＰＡ型波長分散補償器１０１の寿命判定を行い、図示を省略した装置監視制御機能部へ寿命情報を転送する。
【実施例３】
【００２３】
図３は、本発明の第３の実施例の説明図であり、図１及び図２と同一符号は同一名称部分を示し、１６は速度／移動距離計測部、１７はモータ速度制御部を示す。前述の各実施例１，２と同様に、分散値設定部１１からの分散値設定信号に基づいて、ＶＩＰＡ型波長分散補償器１０１のステッピングモータ１０が駆動されて、三次元ミラー２０５（図６参照）の移動により、分散値の補償処理が実行される。速度／移動距離計測部１６は、分散値設定部１１からの分散値設定信号と、ＶＩＰＡ型波長分散補償器１０１からの三次元ミラー移動完了トリガとを基に、移動速度と移動距離とを求め、それぞれ求めた情報を寿命管理部１４へ転送する。又分散値設定部１１は、信号品質判定部１２からの信号品質判定信号を基に、前述の分散値設定信号を形成すると共に、信号成分を含まないＡＳＥ入力状態か否かを判定する機能を備え、ＡＳＥ入力状態検出により、ＡＳＥ情報をモータ速度制御部１７へ入力する。このモータ速度制御部１７は、寿命管理部１４からの移動距離／移動速度情報と、分散値設定部１１からのＡＳＥ情報とを基に、ＶＩＰＡ型波長分散補償器１０１の三次元ミラー２０５を移動させるステッピングモータ１０に対するモータ速度制御信号を生成する。この場合のＡＳＥ状態の場合、信号成分を含まない光信号入力時であり、ステッピングモータ１０は、図７について説明したように、エラーレートがその閾値以下になることがなく、従って、連続的にステッピングモータ１０が駆動され、無駄に三次元ミラー２０５の移動が繰り返されるが、ＡＳＥ入力状態検出時に、ステッピングモータ１０の駆動速度を大きく低減し、移動部分の機械的な磨耗低減を図り、それによって、ＶＩＰＡ型波長分散補償器１０１の寿命延長を図ることができる。
【００２４】
又寿命管理部１４は、速度／移動距離計測部１６からの移動速度情報と移動距離情報とをメモリ１０５に蓄積し、移動距離の積算値を求めて、予め設定した寿命移動距離とを比較する。又移動速度と標準の移動速度範囲とを比較することにより、ＶＩＰＡ型波長分散補償器１０１の寿命を判定し、且つ寿命に近くなった場合、移動距離／移動速度警報をモータ速度制御部１７に加えて、分散値設定信号によるＶＩＰＡ型波長分散補償器１０１のステッピングモータ１０による三次元ミラー２０５の移動速度を低減させ、その寿命延長を図ることができる。又前述の各実施例と同様に、メモリ１０５に格納された累積移動距離と移動速度との情報を基に、ＶＩＰＡ型波長分散補償器１０１の寿命判定を行い、図示を省略した装置監視制御機能部へ寿命情報を転送する。なお、ステッピングモータ１０による三次元ミラー２０５の移動速度は、駆動パルスの速度に対応するから、駆動パルス数と時間とを基に求めることも可能である。又移動距離は、駆動パルス数に対応するから、この駆動パルス数を計測して求めることも可能である。
【００２５】
図４は、光波長分割多重伝送システムの説明図であり、２１，２２は波長多重装置（ＷＤＭ−ＭＵＸ）、２３は中間中継装置、２４は情報転送網、２５は監視制御装置、２６は制御端末を示し、波長多重装置２１，２２は、高速光インタフェース機能部２１ａ，２２ａと波長合分波機能部２１ｂ、２２ｂと、監視制御機能部２１ｃ、２１ｄ、２２ｃ、２２ｄとを含む構成を有し、中間中継装置２３は、光増幅機能部２３ａと監視制御機能部２３ｂとを含む構成を有する。又波長多重装置２１，２２の高速光インタフェース機能部２１ａ，２２ａは、前述の各実施例に於けるＶＩＰＡ型波長分散補償器１０１を含む構成を有する。高速光インタフェース機能部２１ａ，２２ａは、波長合分波機能部２１ｂ、２２ｂにより光波長対応に分波した光信号に対して、前述の各実施例に於ける高速光インタフェース部の機能による波長分散補償を行い、受信光信号を、Ｏ／Ｅ変換モジュール１０２により電気信号に変換して外部端局装置へ転送する。又監視制御装置２５は、情報伝送網２４を介して、波長多重装置２１，２２からの各種情報を収集して、波長多重装置２１，２２の動作状態を監視するもので、前述の高速インタフェース部２１ａ，２２ａのＶＩＰＡ型波長分散補償器１０１の寿命情報の収集機能を含み、波長多重装置２１，２２が分散配置されている場合も、ＶＩＰＡ型波長分散補償器１０１の寿命判定により、寿命と判定した場合は、三次元ミラー２０５（図６参照）の移動制御を行うステッピングモータを含む可動機構部品を交換することにより、光波長分割多重伝送システムの安定運用を確保することができる。なお、波長多重装置２１，２２に接続した制御端末２６及び情報伝送網２４を介して接続した制御端末２６により、高速インタフェース機能部２１ａ，２２ａのＶＩＰＡ型波長分散補償器１０１の状態情報を収集して、その寿命判定に従って、ＶＩＰＡ型波長分散補償器１０１の可動機構を含む部品の交換を行うことも可能である。
【符号の説明】
【００２６】
１０  ステッピングモータ（Ｍ）
１１  分散値設定部
１２  信号品質判定部
１３  移動距離計測部
１４  寿命管理部
１５  速度計測部
１６  速度／移動距離計測部
１７  モータ速度制御部
３０  エラーチェック部
１０１  ＶＩＰＡ型波長分散補償器
１０２  Ｏ／Ｅ変換モジュール部
１０３  エラー監視機能部
１０４  制御機能部
１０５  メモリ
【図１】
2011158853.tif 000003
【図２】
2011158853.tif 000004
【図３】
2011158853.tif 000005
【図４】
2011158853.tif 000006
【図５】
2011158853.tif 000007
【図６】
2011158853.tif 000008
【図７】
2011158853.tif 000009